【事件の表示】
　平成　５年特許願第２６７１４１号「情報記録再生装置」拒絶査定に対する審判事件〔平成　７年　５月１２日出願公開、特開平　７−１２１１９９、請求項の数（４）〕について、次のとおり審決する。
【結　論】
　原査定を取り消す。
　本願の発明は、特許すべきものとする。
【理　由】
1．本願発明
　本願は、平成５年１０月２６日の出願であって、その請求項１ないし４に係る発明は、平成１２年６月２１日付け手続補正書により補正された明細書及び図面の記載からみて、その特許請求の範囲の請求項１ないし４に記載された次のとおりである。
「【請求項１】　着脱可能な媒体に情報を記録または再生する情報記録再生装置であって、
　前記情報および前記情報のインデックス情報を前記媒体に記録する第１記録手段と、
　前記媒体が装置本体に装着されているとき、前記媒体の所定位置に記録されている前記情報および前記インデックス情報を一時的に記憶する第２記録手段と、
　前記媒体が新たに装置本体に装着されたとき、前記第２記録手段に記録されている前記媒体の前記所定位置に記録されている前記情報および前記インデックス情報と、装着された媒体の前記所定位置に記録されている前記情報および前記インデックス情報とを比較し、新たに装着された媒体が前記第２記録手段に記録されている媒体と同じ媒体であるか否かを判定する判定手段とを含む情報記録再生装置。
【請求項２】　着脱可能な媒体に情報を記録または再生する情報記録再生装置であって、
　前記情報を前記媒体に記録する第１記録手段と、
　前記媒体が装置本体に装着されているとき、前記情報のうち、前記媒体の先頭から所定サイズの領域に記録されている情報を一時的に記録する第２記録手段と、
　前記媒体の先頭から前記所定サイズの領域に一旦記録された情報を変化させないように情報の記録を制御する制御手段と、
　前記媒体が新たに装置本体に装着されたとき、前記第２記録手段に記録されている前記媒体の先頭から前記所定サイズの領域に記録されている前記情報および装着された媒体の先頭から前記所定サイズの領域に記録されている情報を比較し、新たに装着された媒体が前記第２記録手段に記録されている媒体と同じ媒体であるか否かを判定する判定手段とを含む情報記録再生装置。
【請求項３】　さらに、前記媒体が新たに装置本体に装着されたとき、装着された媒体に記録されている情報の最終記録位置から、装着された媒体の記録の有無を判断する第１の記録有無判断手段を含む、請求項１または２に記載の情報記録再生装置。
【請求項４】　前記第１の記録有無判断手段は、
　前記媒体が装置本体に装着されているとき、前記媒体上での前記情報の最終記録位置を一時的に記憶する第３記録手段と、
　前記媒体が新たに装置本体に装着されたとき、前記第３記録手段に記録されている前記最終記録位置と、装着された媒体に記録されている情報の最終記録位置とを比較し、装着された媒体の記録の有無を判断する第２の記録有無判断手段とを含む、請求項３に記載の情報記録再生装置。」
　
２．刊行物記載の発明
　これに対して、原査定の拒絶の理由に引用された刊行物（刊行物の数は４）は、次に揚げるとおりであり、各刊行物には以下の事項が記載されていると認められる。
　刊行物１：実願昭６１−５７３０８号（実開昭６２−１６８１９９号）のマイクロフィルム
　刊行物２：実願昭６１−９１６４６号（実開昭６２−２０１７９９号）のマイクロフィルム
　刊行物３：特開平３−２２０２６号公報
　刊行物４：特開平５−２２９３８８号公報
　
　刊行物１には、
　Ａ／Ｄ変換回路を含む入力部、Ｄ／Ａ変換回路を含む出力部及びこれら入力部と出力部の動作を制御するプロセッサを備えた本体部と、この本体部のプロセッサによってディジタル・オーディオ信号の読出し又は書込が行われる半導体メモリを内蔵しつつこの本体部に着脱自在に装着されるカートリッジ部とを備えた半導体メモリを用いた録音再生装置が記載されている。
　刊行物２には、
　入力手段と、暗証コードを記憶する暗証コード記憶手段と、音声データを記憶する音声データ記憶手段と、上記入力手段により入力される暗証コードと上記暗証コード記憶手段の暗証コードとの一致を条件に上記音声データ記憶手段に対して音声データを録音または再生する制御手段とを具備した音声録音装置が記載されている。
　刊行物３には、
　プログラムを記憶した外部記憶媒体と、この外部記憶媒体を接続可能にするとともに該外部記憶媒体を接続した状態で上記プログラムを実行可能にした装置本体とを具備した情報処理装置において、上記外部記憶媒体は上記プログラムに対応して識別コードを保持した識別コード保持手段を有し、上記装置本体は上記プログラムを実行するため用いられる記憶エリア、上記外部記憶媒体から読み出される識別コードを記憶する識別コード記憶手段、この識別コード記憶手段に記憶された識別コードと上記外部記憶媒体から直接読み出された識別コードを比較する比較手段及びこの比較手段での比較一致、不一致をみる情報処理装置が記載されている。
　刊行物４には、
　ノーズピース部をユーザーにおいて着脱可能としたカーオーディオ等の車載用の機器において、機器の動作状態のデータを記憶する機器本体に設けた第一の記憶手段とノーズピース部に設けた第２の記憶手段と、２種のデータを比較照合する比較手段とを備え、ノーズピース部の取り外しに伴う電源オフ時に機器本体の最終動作状態を表すデータを第１及び第２の記憶手段に記憶し、ノーズピース部の再装着に伴う電源オン時に前記第１及び第２の記憶手段の記憶内容を比較手段によって比較し両データの一致を判別することが記載されている。
　
３．本願発明と刊行物１ないし４に記載された発明との対比
　本願の請求項１に係る発明と刊行物１ないし４に記載された発明とを対比すると、刊行物１ないし４に記載された発明は、本願の請求項１に係る発明における次に掲げる事項を備えておらず、また、当該事項を示唆する記載もなされていない。
（Ａ）着脱可能な媒体に、情報および前記情報のインデックス情報を記録する第１記録手段と、前記媒体が装置本体に装着されているとき、前記媒体の所定位置に記録されている前記情報および前記インデックス情報を一時的に記憶する第２記録手段とを含むこと、
　前記媒体が新たに装置本体に装着されたとき、前記第２記録手段に記録されている前記媒体の前記所定位置に記録されている前記情報および前記インデックス情報と、装着された媒体の前記所定位置に記録されている前記情報および前記インデックス情報とを比較すること。
　
　また、本願の請求項２に係る発明と刊行物１ないし４に記載された発明とを対比すると、刊行物１ないし４に記載された発明は、本願の請求項２に係る発明における次に掲げる事項を備えておらず、また、当該事項を示唆する記載もなされていない。
（Ｂ）媒体が装置本体に装着されているとき、前記媒体の先頭から所定サイズの領域に記録されている情報を一時的に記録する第２記録手段と、
　前記媒体の先頭から前記所定サイズの領域に一旦記録された情報を変化させないように情報の記録を制御する制御手段とを含むこと、
　前記媒体が新たに装置本体に装着されたとき、前記第２記録手段に記録されている前記媒体の先頭から前記所定サイズの領域に記録されている前記情報および装着された媒体の先頭から前記所定サイズの領域に記録されている情報を比較すること。
　
　そして、本願の請求項１、２に係る発明は、上記事項（Ａ）、（Ｂ）により、明細書に記載された「ＩＤナンバーやシリアルナンバー等を用いずに、記録媒体に記録されている情報のみを用いて記録媒体を特定でき、以前に装着されていた媒体の所定位置に記録されている情報およびインデックス情報と、新たに装着された媒体の所定位置に記録されている情報およびインデックス情報とを比較し、新たに装着された媒体が以前に装着されていた媒体と同じ媒体であるか否かを判定することができる。」という作用効果を奏するものであり、この点は前記各刊行物に記載のものからは期待することができない格別のものと認められる。
　したがって、本願の請求項１、２に係る発明は、刊行物１ないし４に記載された発明から当業者が容易に発明をすることができたものとすることはできない。
　また、本願の請求項３、４に係る発明は、請求項１または２に係る発明をさらに限定したものであるから、上記請求項１、２に係る発明と同様の理由により、刊行物１ないし４に記載された発明から当業者が容易に発明をすることができたものとすることはできない。
　
４．むすび
　したがって、本願の請求項１ないし４に係る発明は、刊行物１ないし４に記載された発明に基づいて当業者が容易に発明をすることができたとすることはできない。
　また、他に本願を拒絶すべき理由を発見しない。
　よって、結論のとおり審決する。